(57)【要約】【課題】カード型の情報記録媒体の情報記録部を簡単な構成で、かつカード型情報記録媒体の利便性を損なうことなく保護して、保護カードにて装飾性の向上と各種情報を明示とが行なえるようにする。【解決手段】保護カード１を、カード基材６と、カード基材６の両面６ａに位置して文字や図や絵などから形成された情報印刷部８と、情報印刷部８それぞれの少なくともカード型情報記録媒体２の情報記録部３に対応する領域に設けられてカード型情報記録媒体２に剥離可能に貼着する透明又は半透明の貼着手段９とから形成した。【選択図】    図１
2004171653.tif 000002
【特許請求の範囲】
【請求項１】
カード型情報記録媒体の外形状に対応した形状を有し、このカード型情報記録媒体の情報読み出し面側の片面に重ね合わせて前記片面を覆う保護カードであって、
カード基材と、前記カード基材の表裏両面それぞれの全面に位置して文字や図や絵などから形成された情報印刷部と、前記情報印刷部それぞれの少なくともカード型情報記録媒体の情報記録部に対応する領域に設けられてカード型情報記録媒体に剥離可能に貼着する透明又は半透明の貼着手段とを備えることを特徴とするカード型情報記録媒体用保護カード。
【請求項２】
表裏両面が上記貼着手段に剥離可能に重ね合される透明フィルムで覆われている請求項１に記載のカード型情報記録媒体用保護カード。
【発明の詳細な説明】
【０００１】
【発明の属する技術分野】
本発明はカード型情報記録媒体の情報読み出し面側の片面に重ね合わせる保護カードに関するものである。
【０００２】
【従来の技術】
近年、記録容量の大きさや安価で大量生産にも適しているなどの理由から、ＣＤ−ＲＯＭやＤＶＤ−ＲＯＭなどのようにドーナツ状とした情報記録部の中央にドライブ孔を有し、そのドライブ孔を中心にした高速回転の下で光学的に情報を記録したり記録情報を読み出したりできるようにした円盤状の情報記録媒体が広く利用され、この情報記録媒体に対応したドライブ装置を標準装備するパソコンも広く普及してきている。そして、このような現状から、前記ドライブ装置を利用した情報読み出し方式に合致する情報記録媒体であれば、身近なパソコンで情報の表示が簡単に行なえることになり、このため、カード型ＣＤ−ＲＯＭなどのように形状をカード型とした情報記録媒体が利用され始めている。
【０００３】
上記カード型情報記録媒体は通常のドーナツ形状のものと比較すれば情報の記録容量が小さいものの、会社案内や商品紹介などの情報を記録するのには十分な容量を有しており、これらの情報を文字情報、静止画情報、動画情報などとして記録できるため、紙に印刷してなるパンフレットやカタログなどと比較すれば格段に多量の情報を提供できる記録媒体であって、前述の会社案内や商品紹介などの情報を提供する場合に有利であり、取り扱いも簡単で携帯もし易いものである。
さらに、カード型情報記録媒体の大きさにおいて、名刺サイズであるならば名刺用として、またトレーディングカードサイズならばトレーディングカード用として提供されている収納ケース、収納袋、各種カード用の文房具用品や事務用品などがそのまま使用可能となる。
【０００４】
一方、上記カード型情報記録媒体が小型でその取り扱いが容易であることから、逆に電子情報記録媒体を取り扱う場合の注意が払われ難くなり、不用意な取り扱いで情報読み出し面側で表出している情報記録部が汚損されたり傷付いたりして、適正な情報の読み出しが行なえない場合がある。勿論、情報記録部を保護するためにＣＤ−ＲＯＭの場合（例えば特許文献１参照）のような専用のハードケースを用いることも考えられるが、このハードケースにカード型情報記録媒体を収納してしまうと、取り扱いが容易であるという点や既存の収納ケースや収納袋などが利用できるという利点を大きく損なうことから、ハードケースを用いていないのが現状である。
【０００５】
【特許文献１】
実開平４−１２４９８５号公報（第１頁）
【０００６】
【発明が解決しようとする課題】
以上の点から、本出願人にあっては、先に、カード型情報記録媒体と同等のコンパクトな形態でありながら情報記録部を保護する保護カードとこのカード型情報記録媒体とが嵩張ることなく一体的に取り扱えるようになる提案を行なった。そして、このようなコンパクトでカード型情報記録媒体と保護カードとを組み合わせた形態において、カード型情報記録媒体の情報読み出し面側とは反対側の面（レーベル面）と保護カードの外面との両者に文様、絵柄などを施すようにすれば、装飾性や商品性が頗る高まるという有用な点に着目され、かつ、カード型情報記録媒体自体の取り扱い注意事項やカード記録媒体に記録された内容に対応する説明などの情報を、この保護カードで使用者側に明示できるようにしたいとの要望もなされるようになった。
このため、本発明は上記事情に鑑み、カード型ＣＤ−ＲＯＭなどのカード型の情報記録媒体の情報読み出しを行なう情報記録部を簡単な構成で、かつカード型情報記録媒体の利便性を損なうことなく保護することを課題として、保護カードにて装飾性の向上と各種情報を明示とが行なえるようにすることを目的とするものである。
【０００７】
【課題を解決するための手段】
本発明は上記課題を考慮してなされたもので、カード型情報記録媒体の外形状に対応した形状を有し、このカード型情報記録媒体の情報読み出し面側の片面に重ね合わせて前記片面を覆う保護カードであって、カード基材と、前記カード基材の表裏両面それぞれの全面に位置して文字や図や絵などから形成された情報印刷部と、前記情報印刷部それぞれの少なくともカード型情報記録媒体の情報記録部に対応する領域に設けられてカード型情報記録媒体に剥離可能に貼着する透明又は半透明の貼着手段とを備えることを特徴とするカード型情報記録媒体用保護カードを提供して、上記課題を解消するものである。
そして、本発明において、表裏両面が上記貼着手段に剥離可能に重ね合される透明フィルムで覆われているものとすることが良好である。
【０００８】
【発明の実施の形態】
つぎに本発明を図１から図８に示す実施の形態に基づいて詳細に説明する。
図中１はカード型情報記録媒体用保護カードで、この保護カード１は図１に示されているようにカード型情報記録媒体２の外形状に同一としてそのカード型情報記録媒体２の情報読み出し面側の片面に重ね合わされるものである。なお、カード型情報記録媒体２自体は例えば通常のカード型ＣＤ−ＲＯＭなどであって、片面を情報読み出し面側とし、情報記録部３を有して中央にドライブ孔４が設けられている。さらに前記情報記録部３におけるカード型情報記録媒体２の長手方向に相対する一対の外周部分は、８ｃｍＣＤ−ＲＯＭとドライブ孔同士を一致させたときのその８ｃｍＣＤ−ＲＯＭの外周部分に対応しており、その一対の外周部分に、８ｃｍＣＤ−ＲＯＭの外周形状に対応した円弧状段差部５が設けられている。そして、通常の１２ｃｍＣＤ−ＲＯＭなどをトレイに乗せ置くタイプのドライブ装置においては、トレイに８ｃｍＣＤ−ＲＯＭ用受け部があって、そのトレイにカード型情報記録媒体２をセットしたときに８ｃｍＣＤ−ＲＯＭ用受け部に前記円弧状段差部５が対応して位置決めを行なえるようにしているものである。
【０００９】
上記カード型情報記録媒体用保護カード１は積層構成を有しているものであって、図２に示すようにシート状のカード基材６と、このカード基材６の表裏面６ａに形成された情報印刷部８と、さらにこの情報印刷部８に弱粘着力の粘着剤を層状に配して設けられた貼着手段９とからなるものである。
まず、上記カード基材６は紙や合成樹脂シートなどのシート状物から形成されている。つぎに、前記カード基材６の表裏面６ａに位置する前記情報印刷部８は、表裏面６ａに文字、図、絵などを印刷して、カード型情報記録媒体に記録された書籍データに対する奥付となったりＰＬ注意表示、使用方法などを内容とする情報８ａを表示し、これらの情報８ａをポリプロピレンフィルムなどの透明な合成樹脂フィルム８ｂで覆ったものである。
上記貼着手段９それぞれはカード型情報記録媒体２の情報記録部３の形状と同じにして重ね合わせたときの情報記録部３に対応する位置にして弱粘着力の粘着剤を塗布してなるものである。なお、カード型情報記録媒体２への重ね合わせを斜視状態で示している図にあっては一方の面６ａ側での情報印刷部８と貼着手段９とを示しているが、他方の面６ａにおいて同一の構成の情報印刷部８、貼着手段９が配されている。
上記貼着手段９を形成する粘着剤は、カード型情報記録媒体２の樹脂材に対して劣化などの影響を及ぼすことのない材料から選択された弱粘着物質からなるものであり、例えば弱粘着性を備えているシリコン素材からなり、情報記録部３に対して剥離可能に貼着することができるものである。よって図２に示すように、保護カード１の一方の前記貼着手段９を情報記録部３の情報読み出し面側に貼り付けるようにすることで、保護カード１とカード型情報記録媒体２とを剥離可能に重ね合わせることができる。
【００１０】
本保護カード１は、さらにカード型情報記録媒体２に重ね合わせをしない状態での貼着手段９への不用意な接触を避ける工夫を備えている。即ち、保護カード１の表裏は、貼着手段９に剥離可能に重ね合される透明フィルム７で覆われていて、情報印刷部８それぞれの情報８ａはこの透明フィルム７を通して確認できるものとしている。そして、必要に応じてカード型情報記録媒体２に相対させる面側の透明フィルム７を剥ぎ取ることで貼着手段９が簡単に表出し、この貼着手段９の働きによって保護カード１をカード型情報記録媒体２の情報読み出し面側に分離可能に貼り付けることができる。この場合、他方の透明フィルム７は貼り付けたままにして他方の貼着手段９を保護するようにしておく。さらに、両面の透明フィルム７を取り除いてから、二枚のカード型情報記録媒体２の間にこの保護シート１が位置するように二枚のカード型情報記録媒体２の情報記録部３をおのおの貼着手段９に重ね合わせるようにすることも可能であり、一枚の保護カード１にて二枚のカード型情報記録媒体２の情報記録部３を保護できるようになる。また、保護カード１を一旦、カード型情報記録媒体２から分離し、裏返しにしてから再び重ね合わせるようにすることもできるものであって、この場合、一旦剥ぎ取った透明フィルム７を、保護カード１の新たに表出する側の面に重ね合わせるようにすればよい。
上記透明フィルム７自体は貼着手段９に剥離可能に接合するフィルム素材であるとともに、後述するように情報印刷部８における情報８ａが直接表出しているものであるときにも、その情報印刷部８からの印刷インキなどが転移しない特性を兼ね備える素材を選択することが良好である。
【００１１】
上述のようにカード型情報記録媒体２の情報読み出し面側に保護カード１を重ね合わせた状態にすれば、カード型情報記録媒体２を持ったり携帯したりした際に他の物品などが情報記録部３側にぶつかったり擦れたりすることがあっても、保護カード１で情報記録部３が保護され、そして、分離する際にも情報記録部３を損傷させることなく保護カード１とカード型情報記録媒体２とを容易に分けることができる。
また、保護カード１をカード型情報記録媒体２の情報読み出し面側に重ね合わせるに際しても、保護カード１とカード型情報記録媒体２との外周の形状が同じであることから両者の辺部相互を位置合わせしながら重ね合わせるようにすることで、貼着手段９が情報記録部３に対応することとなり、この貼着手段９を簡単に情報記録部３に貼り付けることができる。
【００１２】
上記情報印刷部８に重ねて形成される貼着手段９は透明または半透明としている。これによって貼着手段９が位置していない部分の情報印刷部８で表示された情報８ａを目視できることは勿論のこと、貼着手段９が重なっている部分の情報印刷部８で表示された情報８ａも、貼着手段９を通して目視できるものとしている。さらに上記透明フィルム７が重ね合わされている状態でも貼着手段９下に位置する情報８ａが目視できるように設けられている。
上記情報印刷部８はカード基材６の表裏面６ａそれぞれの全領域に形成されていて、貼着手段９の有無に関係なくこの保護シート１の表裏全面を情報表示面として形成し、多くの情報を使用者に提供できるようにしている。
また、上記貼着手段９が透明或いは半透明として情報印刷部８の情報表示の妨げとならないことから、貼着手段９を情報記録部３に対応したパターンに限定する必要はなく、図３に示すように面６ａそれぞれにおける全面にこの貼着手段９を設けるようにすることが可能である（なお、図２〜６では一方の透明フィルムを剥ぎ取った状態が示されている）。
【００１３】
上述した各実施の例において情報印刷部８は、カード基材６に印刷した文字、符号、図などからなる情報８ａを透明な合成樹脂フィルム８ｂで覆ってなるものとしたが、透明な合成樹脂フィルム８ｂを備えないものとして構成してもよい。図４に示した例は常用印刷部８が前記合成樹脂フィルム８ｂを備えない状態で構成されているものであり、この場合においても、上記貼着手段９が情報印刷部８の情報８ａに直接重なるようにして配置されている。
このように情報印刷部８が透明な合成樹脂フィルム８ｂを備えていないことから、保護カード１とカード型情報記録媒体２とを重ね合わせした形態の時点で情報印刷部８の印刷インキなどがカード型情報記録媒体の情報読み出し面側に転移する可能性が問題とされるかもしれない。しかしながら、本保護カード１ではこの情報印刷部８からカード型情報記録媒体２への転移を防止している。
【００１４】
即ち、上記情報印刷部８はカード基材６の面６ａに印刷を施してなるものであって、情報印刷部８の厚さは極めて小さいものであり、一方、貼着手段９は上述したように粘着剤を塗布してなり、貼着手段９の厚さは情報印刷部８に比べて大きい。そして保護カード厚さ方向での貼着手段９の上面の高さ位置が、前記情報印刷部８の表面の高さ位置よりも高くなる。よって、層状の貼着手段９と情報記録部３とを対応させた状態で保護カード１とカード型情報記録媒体２とを重ね合わせても、情報印刷部８と情報記録部３との間に隙間が形成されて、印刷インキなどの転移が防止されている。
なお、カード型情報記録媒体１の形態によっては図示するように情報印刷部８の内周側にリング状の突堤を設けるようにしたものがある。この場合、リング状の突堤に対応する部分には情報印刷部８における情報印刷を行なわないようにするか、或いはリング状の突堤に対応する位置まで貼着手段９を設けるようにすることが良好である。
先の実施の例のように情報印刷部８が情報を合成樹脂フィルムにて覆ってなるものである場合には、上述した印刷インキの転移は生じない。
【００１５】
上記実施の例では、貼着手段９が位置していない非貼着部分１０においても情報印刷部８が形成されているものとなるが、勿論、この非貼着部分１０に情報記録部３とが相対しないため、情報記録部３に直接印刷インクが転移することはない。また、貼着手段９をつぎのような構成とした場合でも印刷インキなどの転移は防止される。
図５の例は面６ａにおける情報記録部３に対応する領域で、貼着手段９をベタの層状とはせずに不連続状にして設けている。このようにした場合にあっても、上述したように保護カード１の厚さ方向では貼着手段９の上面の高さ位置が情報印刷部８より高いため、保護カード１とカード型情報記録媒体２とを重ね合わせても、情報印刷部８と情報記録部３とが直接相対する個所での貼着手段９の盛り厚によって、前記情報印刷部８と情報記録部３との間に隙間を形成して、両者が直接接触することがないようにしている。よって、情報印刷部８から情報記録部３への印刷インキなどの転移が防止される。
【００１６】
上記貼着手段９を面６ａに全面的に設ける場合、以下のようにすることが良好である。
カード型情報記録媒体２の情報読み出し面側では、ドライブ装置による情報読取時に適正な回転状態が得られるようにするなどの理由によってドライブ孔４の周辺や情報記録部３の境界部分などに凸部、凹部、段差などを同心状態にして設けていて、情報読み出し面側の表面は凹凸のある形状となっている場合がある。そこで、図６に示すように保護カード１の貼着手段９におけるカード型情報記録媒体２側の面を、カード型情報記録媒体２における情報読み出し面側の表面凹凸形状に合致している表面凹凸形状を有するものとする。このようにすることによってカード型情報記録媒体２に対する保護カード１の貼り付け状態がより一層安定するようになる。
上記貼着手段９を得る場合には、予め、カード型情報記録媒体の情報読み出し面側の形状と同一にしてドライブ孔に対応する部分を平坦にした型に貼着手段の形成素材を流し込むなどして硬化させ、後にカード側に転移するように型抜きすればよい。なお、透明フィルム７は十分なる柔軟性を有するものであり、貼着手段９の表面形状が凸凹であってもその表面に適正に重ね合わせることができる。
【００１７】
保護カード１の上記情報印刷部８それぞれの情報８ａが示す内容は特に限定されるものではない。例えばその情報８ａを図柄情報と文字情報との組み合わせとし、図柄情報を表裏の情報印刷部８で異なるようにしたり、保護カード１ごとに異なるようにする一方、前記文字情報をカード型情報記録媒体２の取り扱い説明などのような共通の内容とすれば、カード型情報記録媒体２に対して保護カード１を裏返して使用したり、他の保護カード１と交換することで、組み合わせ形態での外観を容易に変更させることができる。また、カード型情報記録媒体２側に記録されている内容が二形態である場合に、一方の形態の内容に関して一方の情報記録部３にて表示し、他方の形態の内容に関して他方の情報記録部３にて表示させることができる。例えば、カード型情報記録媒体に日本語バージョンのコンテンツと英語バージョンのコンテンツが記録されているような場合に、そのコンテンツに関する内容を表裏の情報印刷部に別けて表示させるという利用が行なえるものであり、一枚の保護カードを情報を明示する媒体として有効に利用できる。
なお、上記貼着手段９はシリコン素材から得られるものとして説明したが、具体的な一例として、シリコンゴムなどに対して、ジメチルポリシロキサン、メチルビニルポリシロキサンなどの有機けい素化合物、シリカなどの充填剤や分散剤などを添加して得られたコンパウンドに有機過酸化物などの加硫剤を添加したものを塗布形成などして得られる。
【００１８】
上述したように保護カード１は、カード型情報記録媒体２の情報読み出し面側に重ね合わせて上記情報記録部３を保護することから、保護カード１とカード型情報記録媒体２とを組み合わせた状態で取り扱えば、上述したように情報記録部３が汚れたり傷付けられることがなく、そのため、カード型情報記録媒体２の取り扱いが容易になる。
また、カード型情報記録媒体２および保護カード１の外周の形状は、一般的に使用されている名刺やトレーディングカードなどと同じであり、上記実施の例にあっては例えばトレーディングカードのサイズに合わせて形成されているものである。そのため、トレーディングカード用として既に存在する収納ケースなどを利用することができ、重ね合わせた形態での保管、管理が簡単になる。図７は一枚のトレーディングカードを収めるための一辺開放型のソフトケース１５に、保護カード１とカード型情報記録媒体２とを重ね合わせたものを入れる状態を示している。図７では貼着手段９が全面に形成されている形態の保護カード１を示している。
また図８にあっては、９枚のトレーディングカードを配列して収納するフォルダー１６を、複数組の保護カード１とカード型情報記録媒体２を管理収納するために用いた状態を示していて、保護カード１とカード型情報記録媒体２がトレーディングカードと同じ大きさであることから、前記フォルダー１６における収納部１７それぞれに重ね合わせた保護カード１とカード型情報記録媒体２の組を入れることができ、保護カードを重ねたカード型情報記録媒体用として専用の収納用具を作成する必要はない。図８では貼着手段９が全面に形成されている形態の保護カード１を示している。
勿論、保護カードとカード型情報記録媒体とが名刺サイズのものであってもよく、この場合にも名刺の収納管理用などとして既に存在する文房具用品や事務用品が、保護カードを重ねたカード型情報記録媒体の収納用具として利用することができる。
【００１９】
上記保護カード１を重ね合わせたカード型情報記録媒体２をドライブ装置にセットする際には、保護カード１を分離すればよく手間の要するものではない。また、保護カード１が重ね合わされた状態のままドライブ装置にセットしようとした場合でも、保護カード１が重ね合わされていることが容易に分かる。即ち、ドライブ装置へのセット時において、ドライブ装置側の支持機構をドライブ孔に嵌め入れるタイプのものであれば、ドライブ孔が保護カード１により覆われていることから、保護カード１の存在に気が付くことになる。そして、ＣＤ−ＲＯＭなどのドーナツ状の情報記録媒体をトレイに乗せ置くタイプのものであれば、トレイ側に形成されているシングルＣＤ配置用の凹所形状に保護カード１の平滑な表面形状が対応せず、よってカード型情報記録媒体が浮いた状態となって保護カード１の存在に気付くことになる。
このようにカード型情報記録媒体の利用可能なドライブ装置のいずれのタイプにおいても、保護カード１にて情報記録部３が覆われた状態ではセットできないように設けられている。
【００２０】
【発明の効果】
以上説明したように本発明のカード型情報記録媒体用保護カードによれば、カード型情報記録媒体の外形状に対応した形状を有し、このカード型情報記録媒体の情報読み出し面側の片面に重ね合わせて前記片面を覆う保護カードであって、カード基材と、前記カード基材の表裏両面それぞれの全面に位置して文字や図や絵などから形成された情報印刷部と、前記情報印刷部それぞれの少なくともカード型情報記録媒体の情報記録部に対応する領域に設けられてカード型情報記録媒体に剥離可能に貼着する透明又は半透明の貼着手段とを備えることを特徴とするるものである。
これによって、保護カードをカード型情報記録媒体の情報読み出し面側の片面に重ね合わせるようにすれば、貼着手段が情報読み出し面側に貼着して情報記録部を保護カードで覆うようになり、この保護カードにて情報記録部を保護することがてきる。よって、保護カードとカード型情報記録媒体とを重ね合わせた組み合わせを手持ちする場合でも、情報記録部に指先が触れないようにするなどの注意を払う必要がなく、カード型情報記録媒体の取り扱いが簡単になる。
さらに、保護カードの表裏それぞれに情報印刷部が設けられているため、組み合わせるカード型情報記録媒体側に記録されている内容についての情報を表示する場合に、より多くの情報をこの保護カードに設けることができる。また、カード型情報記録媒体の内容を、表裏の情報印刷部を使い分けして異なる表示形態で表すことも可能となる。
また、保護カードの表裏それぞれに貼着手段が設けられているため、一枚の保護カードの表裏を必要に応じて反転させて重ね合わせることができるとともに、二枚のカード型情報記録媒体の間に一枚の保護カードを挟み入れるようにしてその二枚のカード型情報記録媒体を一体的なものとすることができ、一枚の保護カードで二枚のカード型情報記録媒体それぞれの情報記録部を保護できるようになる。
さらに、貼着手段を透明または半透明としているので、情報印刷部の情報の位置を考慮することなくその情報に重なるようにして貼着手段を設けることができ、貼着手段の位置が限定されないようになる。
【００２１】
また、本発明において、表裏の少なくとも一方が貼着手段に剥離可能に重ね合される透明フィルムで覆われているようにすれば、カード型情報記録媒体に重ね合わせたときにも他方の貼着手段を保護し、媒体との重ね合わせ形態時に誤って外方側の貼着手段に触れるなどの不具合を生じさせず、外方となる面側の情報も確実に見ることができるなど、実用性に優れた効果を奏するものである。
【図面の簡単な説明】
【図１】本発明に係るカード型情報記録媒体用保護カードの一例をカード型情報記録媒体から分離した状態で示す説明図である。
【図２】一例の保護カードとカード型情報記録媒体との重ね合わせを分離状態の断面で示す説明図である。
【図３】第二の例を示すもので、（イ）は保護カードとカード型情報記録媒体とを重ね合わせた状態を示す説明図、（ロ）は保護カードとカード型情報記録媒体との重ね合わせを分離状態の断面で示す説明図である。
【図４】第三の例の保護カードとカード型情報記録媒体との重ね合わせを分離状態の断面で示す説明図である。
【図５】第四の例の保護カードとカード型情報記録媒体との重ね合わせを分離状態の断面で示す説明図である。
【図６】第五の例を示すもので、（イ）は保護カードの重ね合わせ面側を示す説明図、（ロ）は保護カードとカード型情報記録媒体との重ね合わせを分離状態の断面で示す説明図である。
【図７】
保護カードとカード型情報記録媒体との一組の収納形態の例を示す説明図である。
【図８】
保護カードとカード型情報記録媒体との複数組の収納形態の例を示す説明図である。
【符号の説明】
１…保護カード
２…カード型情報記録媒体
３…情報記録部
６…カード基材
７…透明フィルム
８…情報印刷部
８ａ…情報
８ｂ…合成樹脂フィルム
９…貼着手段
【図１】
2004171653.tif 000003
【図２】
2004171653.tif 000004
【図３】
2004171653.tif 000005
【図４】
2004171653.tif 000006
【図５】
2004171653.tif 000007
【図６】
2004171653.tif 000008
【図７】
2004171653.tif 000009
【図８】
2004171653.tif 000010